(57)【要約】【課題】  機器の設計の自由度を向上することができること。【解決手段】  ホルダー部材２１は接続対象物４１を収容する第１の収容部２３を有し、コンタクト１５はインシュレータ１７の主面１７ａに出没自在に露出しておりかつ前記接続対象物４１が前記主面１７ａに位置しているときに前記相手コンタクト４３に弾性変位して接触する接触部１５ｂを有し、前記ホルダー部材２１は前記主面１７ａ上に前記接続対象物４１を保持する第１の位置と、前記主面１７ａに沿って移動し前記主面１７ａから外れた第２の位置とに回動可能になすよう回転軸３９により回動自在に係合されている。【選択図】図１
2006032204.tif 000002
【特許請求の範囲】
【請求項１】
接続対象物を接続するコネクタを含む電子装置において、前記コネクタに設けたホルダー部材を有し、前記コネクタは前記接続対象物の相手コンタクトと接続するコンタクトと、該コンタクトを保持したインシュレータとを有し、前記ホルダー部材は前記接続対象物を収容する第１の収容部を有し、前記コンタクトは前記インシュレータの主面に出没自在に露出しておりかつ前記接続対象物が前記主面に位置しているときに前記相手コンタクトに弾性変位して接触する接触部を有し、前記ホルダー部材は前記主面上に前記接続対象物を対向させて保持する第１の位置と、前記主面に沿って移動し前記主面から外れた第２の位置とに回動可能になすよう回転軸により前記インシュレータに回動自在に係合されていることを特徴とする電子装置。
【請求項２】
請求項１記載の電子装置において、前記コネクタを搭載した機器本体を有し、前記ホルダー部材は前記接続対象物を前記第１の収容部へ挿入する挿入口を有し、前記コネクタ及び前記ホルダー部材は機器本体の第２の収容部に収容されており、前記機器本体には前記ホルダー部材を前記第１の位置へ収容可能にかつ前記第２の位置へ引き出しが可能な開口部を有していることを特徴とする電子装置。
【請求項３】
請求項１記載の電子装置において、前記インシュレータの主面には、前記回転軸の半径方向にガイド面が形成されており、前記ホルダー部材には前記ガイド面の摺接するガイド受面が形成されており、前記ガイド面と前記ガイド受面とが互いに斜めとした面同士により噛み合わされていることを特徴とする電子装置。
【発明の詳細な説明】
【技術分野】
【０００１】
本発明は、接続対象物を接続するコネクタを備えている電子機器に属する。
【背景技術】
【０００２】
従来、メモリーカードを挿入・引き出し可能なカードホルダを有するカード装着装置がある。カード装着装置は、カードの挿入位置と、カードの装着位置との間でベース部材に対して上下方向でカードホルダが回転自在に設けられている（例えば、特許文献１を参照）。
【０００３】
【特許文献１】特開２００２−３０５０４６号公報
【発明の開示】
【発明が解決しようとする課題】
【０００４】
従来の電子機器では、カードを直線的にカードホルダに挿入して接続状態とするため、機器の内部でのカード装着装置の配置や機器の設計に限界があり、設計の自由度が低い構成となるという問題がある。
【課題を解決するための手段】
【０００５】
本発明は、接続対象物を接続するコネクタを含む電子装置において、前記コネクタに設けたホルダー部材を有し、前記コネクタは前記接続対象物の相手コンタクトと接続するコンタクトと、該コンタクトを保持したインシュレータとを有し、前記ホルダー部材は前記接続対象物を収容する第１の収容部を有し、前記コンタクトは前記インシュレータの主面に出没自在に露出しておりかつ前記接続対象物が前記主面に位置しているときに前記相手コンタクトに弾性変位して接触する接触部を有し、前記ホルダー部材は前記主面上に前記接続対象物を対向させて保持する第１の位置と、前記主面に沿って移動し前記主面から外れた第２の位置とに回動可能になすよう回転軸により前記インシュレータに回動自在に係合されていることを特徴とする電子装置であることを最も主要な特徴とする。
【発明の効果】
【０００６】
本発明の電子装置は、コネクタ上の接続対象物をホルダー部材に挿入し、接続対象物をコネクタのインシュレータの主面に沿って回転軸により回転することにより接続状態にする構成としたので、機器の設計の自由度を向上することができるという利点がある。
【発明を実施するための最良の形態】
【０００７】
本発明に係る電子装置は、接続対象物を接続するコネクタを含む電子装置において、前記コネクタに設けたホルダー部材を有し、前記コネクタは前記接続対象物の相手コンタクトと接続するコンタクトと、該コンタクトを保持したインシュレータとを有し、前記ホルダー部材は前記接続対象物を収容する第１の収容部を有し、前記コンタクトは前記インシュレータの主面に出没自在に露出しておりかつ前記接続対象物が前記主面に位置しているときに前記相手コンタクトに弾性変位して接触する接触部を有し、前記ホルダー部材は前記主面上に前記接続対象物を対向させて保持する第１の位置と、前記主面に沿って移動し前記主面から外れた第２の位置とに回動可能になすよう回転軸により前記インシュレータに回動自在に係合されていることにより実現した。
【実施例１】
【０００８】
図１は、本発明に係る電子装置の実施例１とともに、この電子装置に接続する接続対象物としてのＩＣカードのようなカードを示している。図２は、図１に示した電子装置を側面から見た状態を示している。
【０００９】
図１及び図２を参照して、電子装置は、固定側となるコネクタ１１と、コネクタ１１に対して移動可能に設けられている略長四角形状のホルダー部材２１とを有している。
【００１０】
コネクタ１１は、複数の導電性のコンタクト１５と、各コンタクト１５を保持している略長四角板形状のインシュレータ１７とを有している。図３をも参照して、コンタクト１５は、インシュレータ１７の内部でインシュレータ１７に保持されている保持部１５ａと、保持部１５ａの一端側からインシュレータ１７の略中央部分の主面１７ａへ向かって延びて主面１７ａで露出している接触部１５ｂと、保持部１５ａの他端側からインシュレータ１７の外へ延びている端子部１５ｃとを有している。
【００１１】
インシュレータ１７の主面１７ａには、複数の穴１７ｂが形成されており、穴１７ｂがコンタクト１５の接触部１５ｂを主面１７ａよりも上方及びインシュレータ１７の内側へ出没可能にするように形成されている。この実施例１におけるインシュレータ１７では、穴１７ｂが合計で六つ形成されている。
【００１２】
さらに、インシュレータ１７の四つの角部分のうち、一つの角部の近傍には、主面１７ａから下面に向かって第１の軸穴１７ｆが形成されている。インシュレータ１７には、第１の軸穴１７ｆに対して対角方向の角部側に主面１７ａよりも段落ちした平坦面１７ｈが形成されている。主面１７ａと平坦面１７ｈとの境界部分の段差部分は、第１の軸穴１７ｆを中心として半径方向へ略円弧状に形成されているガイド面１７ｋとなっている。ガイド面１７ｋは、主面１７ａの縁からインシュレータ１７の第１の軸穴１７ｆ側である後方側へ斜めに傾斜した面である。
【００１３】
インシュレータ１７から外へ延びている端子部１５ｃは、図２に二点鎖線によって示したプリント配線基板５１の回路に半田によって接続される。コネクタ１１、ホルダー部材２１からなる電子機器及びプリント配線基板５１は、機器本体６１の内部に搭載される。
【００１４】
図４はホルダー部材２１を示している。図５は、図４に示したホルダー部材２１を下側から鏡面に投射して見た図である。ホルダー部材２１は、平坦面１７ｈを含む主面１７ａをカバーする寸法形状となっている。
【００１５】
ホルダー部材２１には、インシュレータ１７の主面１７ａをカバーした状態において、インシュレータ１７の第１の軸穴１７ｆと共通な軸穴となる第２の軸穴２１ｆが形成されている。第２の軸穴２１ｆは、ホルダー部材２１の四つの角部のうち、一つの角部の近傍で板厚方向に貫通している。
【００１６】
さらに、図５によって示されているように、ホルダー部材２１には、図１に示したカード４１を収容して保持するように第１の収容部２３が形成されている。第１の収容部２３は、インシュレータ１７の平坦面１７ｈを含む主面１７ａに対向する天板部２５と、天板部２５の長手方向に平行な一対の辺から天板部２５を直交する方向で対向している一対の側板部２７ａ，２７ｂと、第２の軸穴２１ｆ側で天板部２５及び一対の側板部間２７ａ，２７ｂを接続している後板部２８と、前方側の一対の側板部２７ａ，２７ｂ間を接続しかつ天板部２５の前方側面に対向している前板部２９とを有している。
【００１７】
前板部２９は天板部２５に対向し、後方側へ少し延びている縁部が略円弧形状のガイド受面２９ａとなっている。ガイド受面２９ａは、前述したガイド面１７ｋと略同じ円弧形状になっており、ガイド面１７ｋに合わされて摺接しながら移動する部分である。ガイド受面２９ａは、ガイド面１７ｋに係合するようにガイド面１７ｋの傾斜に沿って傾斜している面である。
【００１８】
ホルダー部材２１の一方の側板部２７ａにおける前方部分には、カード４１を第１の収容部３３へ挿抜可能にするように天板部２５、一対の側板部２７ａ，２７ｂ及び前板部２９によって囲まれた挿入口３５が形成されている。前板部２９及び一方の側板部２７ａの前方端側には、前板部２９及び一方の側板部２７ａから挿入口３５の縁よりも斜めに前方へ突き出している操作部３７が形成されている。
【００１９】
インシュレータ１７の主面１７ａ及び平坦面１７ｈ上にはホルダー部材２１を設け、第１及び第２の軸穴１７ｆ，２１ｆに回転軸３９を挿入することによってホルダー部材２１がコネクタ１１に対して回動可能に移動する。
【００２０】
即ち、ホルダー部材２１は、カード４１を主面１７ａ上に対向させて保持する第１の位置（図１を参照）と、カード４１を主面１７ａに沿って移動した状態で主面１７ａから少し外れた第２の位置（図６を参照）とに移動可能になすよう回転軸３９によりインシュレータ１７に回動可能に係合されている。
【００２１】
第１の位置においてカード４１が第１の収容部２３に位置していないときにはコンタクト１５の接触部１５ｂが第１の収容部２３の内側でインシュレータ１７の主面１７ａから上方へ少し突き出している。
【００２２】
カード４１が第１の収容部２３に位置しているときには、コンタクト１５の接触部１５ｂにカード４１に設けられている六つの相手コンタクト４３（図１を参照）がそれぞれ一対一に接触する。この際、相手コンタクト４３は、接触部１５ｂを下方へ押圧するので接触部１５ｂが弾性変位してインシュレータ１７の穴１７ｂへ少し沈み込んだ状態で接触する。
【００２３】
また、カード４１が第１の収容部２３に位置しているときには、コンタクト１５の接触部１５ｂの反力によりホルダー部材２１の天板部２５がカード４１によって上方に押上げられるように作用する。そこで、インシュレータ１７のガイド面１７ｋとホルダー部材２１のガイド受面２９ａとを互いに斜めとした面同士により噛み合わせることによってホルダー部材２１の浮き上がりを防止する。
【００２４】
図６は、電子装置を図２に二点鎖線によって示した機器本体６１に搭載した状態でホルダー部材２１を操作部３７によって機器本体６１の側面に形成されている開口部６３から回転軸３９を中心として回転させ機器本体６１内の第２の収容部６５から引き出した状態を示している。図６に示した電子装置の状態は図７に示した。
【００２５】
第２の収容部６５には、操作部３７を除いたホルダー部材２１を収容することが可能な形状となっている。機器本体６１にはホルダー部材２１が回転軸３９を中心として回転しホルダー部材２１から一方向とは逆向きに引き出し可能となっており、ホルダー部材２１は開口部６３を基準として第１及び第２の位置間で回動可能となしている。このように、コンタクト１５によるカード４１の平面部分に対して垂直方向に作用する接触力を、インシュレータ１７が噛み合う形状にして抑えかつ回転軸３９を中心に回転する。
【００２６】
即ち、コネクタ１１とホルダー部材２１とが角度的に第２の位置で開放状態のときにカード４１を挿入し、回転軸３９を中心に回転することにより正規の接続状態を得る。
【００２７】
図８は、ホルダー部材２１が開口部６３内の第２の収容部６５に収められた状態を示している。ホルダー部材２１の操作は、操作部３７が常に開口部６３の外に位置しているので操作部３７を指によって操作することによってホルダー部材２１を移動させることができる。
【００２８】
なお、第２の位置から第１の位置に至る際には、抵抗力が増加する状態でスプリング（図示せず）を配置し、第１の位置の状態へはスプリング力で移動することができる。この際、インシュレータ１７のガイド面１７ｋ及びスライド部材２１のガイド受面２９ａは、第１の位置の状態においてスプリングの開放方向への力に逆らって第１の位置の状態を維持するロック機構の役目を果たす。
【産業上の利用可能性】
【００２９】
本発明は、ノート型パーソナルコンピュータ、携帯電話、パーソナルコンピュータに接続する周辺電子機器などの電子機器本体にメモリカード、ＳＤカードなどのカードを挿抜可能に装着する電子装置として適用できる。
【図面の簡単な説明】
【００３０】
【図１】本発明に係る電子装置の第１の位置における状態を示す実施例１であり、この電子装置に装着するためのカードを第１の位置を示す斜視図である。
【図２】図１に示した電子装置の左側面図である。
【図３】図１に示した電子装置のコネクタを示した斜視図である。
【図４】図１に示した電子装置のホルダー部材を示した斜視図である。
【図５】図４に示した電子装置のホルダー部材を鏡面投射して見た状態を示す斜視図である。
【図６】図１に示した電子装置を電子機器本体に搭載し、ホルダー部材をカードに装着する前の状態を示す斜視図である。
【図７】図６に示した電子装置の第２位置における状態を示す斜視図である。
【図８】図６に示した電子装置を電子機器本体に搭載し、ホルダー部材を機器本体の第１の位置へ収容した状態を示す斜視図である。
【符号の説明】
【００３１】
１１    コネクタ
１５    コンタクト
１５ｂ    接触部
１７    インシュレータ
１７ａ    インシュレータの主面
１７ｂ    穴
１７ｆ    第１の軸穴
１７ｋ    ガイド面
１７ｈ    平坦面
２１    ホルダー部材
２１ｆ    第２の軸穴
２３    第１の収容部
２５    天板部
２７ａ，２７ｂ    側板部
２８    後板部
２９    前板部
２９ａ    ガイド受面
３５    挿入口
３７    操作部
３９    回転軸
４１    カード
４３    相手コンタクト
６１    機器本体
６３    開口部
６５    第２の収容部
【図１】
2006032204.tif 000003
【図２】
2006032204.tif 000004
【図３】
2006032204.tif 000005
【図４】
2006032204.tif 000006
【図５】
2006032204.tif 000007
【図６】
2006032204.tif 000008
【図７】
2006032204.tif 000009
【図８】
2006032204.tif 000010